(57)【特許請求の範囲】
【請求項１】
着用者の股部を含む領域に装着される吸収性物品であって、
排泄物を吸収する吸収コアと、
前記吸収コアの外面側に設けられる外装材と、
前記吸収コアの肌面側に設けられ、前記吸収コアと対向する部分の少なくとも一部は透液性を有する内装材と、
を備え、
前記内装材は、少なくとも一部の領域が肌面側に露出された表面シートを備え、
前記表面シートの肌面側に露出された領域の少なくとも一部は、３次元展開可能な複数の切り込み部が設けられ、該表面シートが縦方向に引き延ばされて前記切り込み部が開かれることによって、複数の開口部及び３次元的な凹凸構造が形成され、
前記３次元的な凹凸構造の形成に伴い、前記表面シートの切り込み部の一部が肌面側に立ち上がり、前記排泄物の前記縦方向への流れを阻止する起立部を構成することを特徴とする吸収性物品。
【請求項２】
請求項１に記載の吸収性物品において、
前記表面シートに設けられた前記複数の切り込み部は、前記複数の切り込み列セットにより構成され、
前記各切り込み列セットは、前記縦方向に直交する横方向に沿って前記表面シートに設けられ、対をなす第１及び第２の切り込み列を備え、
前記第１の切り込み列は、
前記横方向に対して間隔をあけて設けられ、頂点部分が前記縦方向に向けられた略山形の形状を有する複数の第１の単位切り込み部を備え、
前記第２の切り込み列は、
前記横方向に沿って間隔をあけて設けられ、頂点部分が前記縦方向に向けられた略山形の形状を有する複数の第２の単位切り込み部を備え、
前記各切り込み列セットの前記第１の切り込み列の前記第１の単位切り込み部と、前記第２の切り込み列の前記第２の単位切り込み部とは、前記頂点部分が互いに前記縦方向の反対方向を向けられ、かつ、対をなす相手側の切り込み列の隣接する２つの単位切り込み部と前記横方向に対して部分的に重複するように配置され、
前記表面シートが前記縦方向に引き延ばされて前記第１及び第２の切り込み列の前記第１及び第２の単位切り込み部が開かれ、その各切り込み部の山形の形状の頂点部分の内側部分が上下に立ち上がることによって、前記複数の開口部及び前記３次元的な凹凸構造が形成されることを特徴とする吸収性物品。
【請求項３】
請求項１又は請求項２に記載の吸収性物品において、
前記表面シートは、前記複数の切り込み部が設けられた部分が前記縦方向に引き延ばされた状態で、前記吸収性物品に備えられる他の部材に接合されていることを特徴とする吸収性物品。
【請求項４】
請求項２に記載の吸収性物品において、
前記表面シートの前記第１の切り込み列の前記第１の単位切り込み部又は前記第２の切り込み列の前記第２の単位切り込み部の前記頂点部分の内側部分が、該吸収性物品における前記表面シートの外面側に位置する部材に接合されていることを特徴とする吸収性物品。
【請求項５】
請求項１ないし請求項４のいずれかに記載の吸収性物品において、
前記表面シートは、透液性の不織布で構成されることを特徴とする吸収性物品。
【請求項６】
請求項１ないし請求項４のいずれかに記載の吸収性物品において、
前記表面シートは、撥水性の不織布で構成されることを特徴とする吸収性物品。
【請求項７】
請求項１ないし請求項６のいずれかに記載の吸収性物品において、
前記内装材は、前記吸収コアの肌面側に配置されたトップシートをさらに備え、
前記表面シートは、前記トップシートの肌面側表面に付与されていることを特徴とする吸収性物品。
【請求項８】
請求項１ないし請求項６のいずれかに記載の吸収性物品において、
前記内装材は、
前記吸収コアの肌面側に配置され、穴あき部を有するトップシートをさらに備え、
前記表面シートは前記トップシートと前記吸収コアとの間に配置され、前記表面シートの前記複数の切り込み部が設けられた部分が前記トップシートの前記穴あき部を介して肌面側に露出されることを特徴とする吸収性物品。
【請求項９】
請求項１ないし請求項６のいずれかに記載の吸収性物品において、
前記表面シートは、前記吸収コアの肌面側に配置されたトップシートであることを特徴とする吸収性物品。
【請求項１０】
請求項１ないし請求項９のいずれかに記載の吸収性物品において、
前記内装材は、
前記表面シートの前記複数の切り込み部が設けられた部分の外面側に接合される補助シートをさらに備え、
前記補助シートは、前記複数の切り込み部が開かれた状態で前記表面シートに接合されることを特徴とする吸収性物品。
【請求項１１】
着用者の股部を含む領域に装着される吸収性物品に付与される表面ライナーであって、
基材シートと、
前記基材シートに設けられた、３次元展開可能な複数の切り込み部とを備え、
縦方向に引き延ばされた状態で前記吸収性物品に付与されることによって、前記切り込み部が開き、複数の開口部及び３次元的な凹凸構造が形成され、
前記３次元的な凹凸構造の形成に伴い、前記基材シートの切り込み部の一部が肌面側に立ち上がり、前記排泄物の前記縦方向への流れを阻止する起立部を構成することを特徴とする表面ライナー。
【請求項１２】
請求項１１に記載の表面ライナーであって、
前記基材シートに設けられ、前記吸収性物品に付着する付着部をさらに備えることを特徴とする表面ライナー。
【発明の詳細な説明】
【技術分野】
【０００１】
本発明は、着用者の股部を含む領域に装着される吸収性物品、その吸収性物品に付与される表面ライナーに関する。
【背景技術】
【０００２】
この種の吸収性物品では、着用者の排泄物が着用者の肌面と吸収性物品との間で前後左右に広がってしまう場合がある。広がった排泄物は、吸収性物品の前後左右の縁部から外部に漏れる場合があるとともに、着用者の肌面の広範囲に付着してしまう。排泄物が肌面の広範囲に付着すると、吸収性物品の交換時の拭き取りに手間がかかり、吸収性物品の交換作業の負担が増える。特に、軟便（液状の便、又は液状の成分と固形成分と混じり合った便）の場合は、着用者の肌面と吸収性物品との間で広がりやすいとともに、肌面の広範囲に付着すると拭き取りの負担が大きい。
【０００３】
また、吸収性物品は左右方向（横方向）の幅よりも前後方向（縦方向）の幅の方が大きいため、軟便等の排泄物が前後方向に広がった場合には、非常に広範囲において排泄物の拭き取りが必要となる。このため、軟便等の排泄物の前後方向の広がりを抑制できれば、拭き取り作業の負担軽減の効果が大きい。ここで、軟便等の排泄物が前後方向（縦方向）に広がりやすい理由としては、次の点が挙げられる。一つは、着用者の臀部に吸収性物品をあてたときに、吸収性物品に縦方向に沿って延びる凹凸部が形成されやすく、その凹凸部に沿って排泄物が移動しやすい点が挙げられる。もう一つは、排泄物の左右方向（横方向）への広がりは立体ギャザー等で抑制できるが、排泄物の前後方向への広がりを抑制するための有効な手段がなかなか存在しなかった点が挙げられる。
【０００４】
一方、従来の吸収性物品として、複数の開口が設けられたトップシートを有するものが提案されている（特許文献１）。この特許文献１では、吸収性物品が着用者に装着されたときに付与される張力によって、トップシートの開口が開くようになっている。そして、着用者の排泄物が前記開口を介してトップシートの外面側に通過し、トップシートの外面側で捕捉されるようになっている。
【特許文献１】特表２００２−５２８１７４号公報
【発明の開示】
【発明が解決しようとする課題】
【０００５】
しかしながら、上述の特許文献１では、トップシートの肌面側の表面が平坦であるため、排泄物がトップシートの肌面側の表面に沿って移動するのを抑制するための構成がない。このため、排泄物が着用者の肌面と吸収性物品との間で拡散するのを止められない。
【０００６】
そこで、本発明の解決すべき課題は、排泄物が着用者の肌面と吸収性物品との間で拡散するのを抑制するとともに、排泄物を確実に捕捉することができる吸収性物品及び表面ライナーを提供することである。
【課題を解決するための手段】
【０００７】
上記の課題を解決するため、請求項１の発明では、着用者の股部を含む領域に装着される吸収性物品であって、排泄物を吸収する吸収コアと、前記吸収コアの外面側に設けられる外装材と、前記吸収コアの肌面側に設けられ、前記吸収コアと対向する部分の少なくとも一部は透液性を有する内装材とを備え、前記内装材は、少なくとも一部の領域が肌面側に露出された表面シートを備え、前記表面シートの肌面側に露出された領域の少なくとも一部は、３次元展開可能な複数の切り込み部が設けられ、該表面シートが縦方向に引き延
ばされて前記切り込み部が開かれることによって、複数の開口部及び３次元的な凹凸構造が形成され、前記３次元的な凹凸構造の形成に伴い、前記表面シートの切り込み部の一部が肌面側に立ち上がり、前記排泄物の前記縦方向への流れを阻止する起立部を構成する。
【０００８】
また、請求項２の発明では、請求項１の発明に係る吸収性物品において、前記表面シートに設けられた前記複数の切り込み部は、前記複数の切り込み列セットにより構成され、前記各切り込み列セットは、前記縦方向に直交する横方向に沿って前記表面シートに設けられ、対をなす第１及び第２の切り込み列を備え、前記第１の切り込み列は、前記横方向に対して間隔をあけて設けられ、頂点部分が前記縦方向に向けられた略山形の形状を有する複数の第１の単位切り込み部を備え、前記第２の切り込み列は、前記横方向に沿って間隔をあけて設けられ、頂点部分が前記縦方向に向けられた略山形の形状を有する複数の第２の単位切り込み部を備え、前記各切り込み列セットの前記第１の切り込み列の前記第１の単位切り込み部と、前記第２の切り込み列の前記第２の単位切り込み部とは、前記頂点部分が互いに前記縦方向の反対方向を向けられ、かつ、対をなす相手側の切り込み列の隣接する２つの単位切り込み部と前記横方向に対して部分的に重複するように配置され、前記表面シートが前記縦方向に引き延ばされて前記第１及び第２の切り込み列の前記第１及び第２の単位切り込み部が開かれ、その各切り込み部の山形の形状の頂点部分の内側部分が上下に立ち上がることによって、前記複数の開口部及び前記３次元的な凹凸構造が形成される。
【０００９】
また、請求項３の発明では、請求項１又は請求項２の発明に係る吸収性物品において、前記表面シートは、前記複数の切り込み部が設けられた部分が前記縦方向に引き延ばされた状態で、前記吸収性物品に備えられる他の部材に接合されている。
【００１０】
また、請求項４の発明では、請求項２の発明に係る吸収性物品において、前記表面シートの前記第１の切り込み列の前記第１の単位切り込み部又は前記第２の切り込み列の前記第２の単位切り込み部の前記頂点部分の内側部分が、該吸収性物品における前記表面シートの外面側に位置する部材に接合されている。
【００１１】
また、請求項５の発明では、請求項１ないし請求項４のいずれかの発明に係る吸収性物品において、前記表面シートは、透液性の不織布で構成される。
【００１２】
また、請求項６の発明では、請求項１ないし請求項４のいずれかの発明に係る吸収性物品において、前記表面シートは、撥水性の不織布で構成される。
【００１３】
また、請求項７の発明では、請求項１ないし請求項６のいずれかの発明に係る吸収性物品において、前記内装材は、前記吸収コアの肌面側に配置されたトップシートをさらに備え、前記表面シートは、前記トップシートの肌面側表面に付与されている。
【００１４】
また、請求項８の発明では、請求項１ないし請求項６のいずれかの発明に係る吸収性物品において、前記内装材は、前記吸収コアの肌面側に配置され、穴あき部を有するトップシートをさらに備え、前記表面シートは前記トップシートと前記吸収コアとの間に配置され、前記表面シートの前記複数の切り込み部が設けられた部分が前記トップシートの前記穴あき部を介して肌面側に露出される。
【００１５】
また、請求項９の発明では、請求項１ないし請求項６のいずれかの発明に係る吸収性物品において、前記表面シートは、前記吸収コアの肌面側に配置されたトップシートである。
【００１６】
また、請求項１０の発明では、請求項１ないし請求項９のいずれかの発明に係る吸収性物品において、前記内装材は、前記表面シートの前記複数の切り込み部が設けられた部分の外面側に接合される補助シートをさらに備え、前記補助シートは、前記複数の切り込み部が開かれた状態で前記表面シートに接合される。
【００１７】
また、請求項１１の発明では、着用者の股部を含む領域に装着される吸収性物品に付与される表面ライナーであって、基材シートと、前記基材シートに設けられた、３次元展開可能な複数の切り込み部とを備え、縦方向に引き延ばされた状態で前記吸収性物品に付与されることによって、前記切り込み部が開き、複数の開口部及び３次元的な凹凸構造が形成され、前記３次元的な凹凸構造の形成に伴い、前記基材シートの切り込み部の一部が肌面側に立ち上がり、前記排泄物の前記縦方向への流れを阻止する起立部を構成する。
【００１８】
また、請求項１２の発明では、請求項１１の発明に係る表面ライナーであって、前記基材シートに設けられ、前記吸収性物品に付着する付着部をさらに備える。
【発明の効果】
【００１９】
請求項１に記載の発明によれば、吸収性物品の肌面側に設けられた表面シートに形成された３次元的な凹凸構造によって、排泄物が着用者の肌面と吸収性物品との間で拡散するのを効果的に抑制できる。その結果、軟便等の排泄物が着用者の肌面の広範囲に付着するのを防止でき、排泄物の拭き取り作業の負担を軽減できる。
【００２０】
また、吸収性物品の肌面側の表面に沿って移動する排泄物を３次元的な凹凸構造によって堰き止めることにより、排泄物を表面シートに設けた複数の開口部に素早く導入して確実に捕捉できる。これによって、排泄物の漏れについてもより確実に防止できる。
【００２１】
また、複数の切り込み部が形成された表面シートを縦方向に引き延ばすだけで、表面シートに複数の開口部及び３次元的な凹凸構造が形成されるため、３次元的な凹凸構造を形成するために表面シートに複雑な加工を施す必要がない。
【００２２】
また、切り込み部の形状及び配置等を変更することにより、開口部及び３次元的な凹凸構造の形態を容易に変更できる。
【００２３】
請求項２に記載の発明によれば、表面シートに形成された各切り込み列セットにおける切り込み部の頂点部分の内側部分が縦方向を向くようにして立ち上がるため、その上下に立ち上がった部分によって、軟便に含まれる流動性の高い液体成分の縦方向（前後方向）への流れを効果的に阻止できる。
【００２４】
請求項３に記載の発明によれば、表面シートの複数の切り込み部が設けられた部分を、複数の開口部及び３次元的な凹凸構造が形成された状態に保持することがきる。
【００２５】
請求項４に記載の発明によれば、第１の切り込み列の第１の単位切り込み部又は第２の切り込み列の第２の単位切り込み部の頂点部分の内側部分が、吸収性物品における表面シートの外面側に位置する部材に接合されているため、頂点部分の内側部分の起立姿勢を確実に保持できる。このため、表面シートの外面側の部材と接合された第１又は第２の単位切り込み部の頂点部分の内側部分によって、表面シートの外面側に誘導された軟便等の排泄物をより確実に堰き止めることができる。
【００２６】
また、表面シートが縦方向に引き延ばされて、第１及び第２の切り込み列に含まれる各単位切り込み部の山形の形状の頂点部分の内側部分が上下に立ち上がった際に、表面シートの外面側の部材と接合された第１又は第２の単位切り込み部の頂点部分の内側部分を支点として、表面シートの複数の切り込み部設けられた部分を肌面側に浮き上がらせ、表面シートとその外面側の部材との間に隙間を形成することができる。これによって、開口部を介して表面シートの外面側に誘導された軟便等の収容能力を向上できる。
【００２７】
請求項５に記載の発明によれば、表面シートが透液性の不織布で構成されているため、排泄物中の液体成分を素早く表面シートの外面側に透過させることができる。これによって、排泄物の拡散を抑制し、排泄物が着用者の肌面に付着する面積を抑制できる。
【００２８】
請求項６に記載の発明によれば、表面シートが撥水性の不織布で構成されているため、一旦表面シートの外面側に誘導された排泄物の液体成分が表面シートを透過して肌面側に逆戻りするのを抑制できる。これによって、逆戻りした排泄物の液体成分が着用者の肌に付着して不快感を与えるのを防止できる。
【００２９】
請求項７に記載の発明によれば、表面シートがトップシートの肌面側に付与されているため、表面シートの３次元的な凹凸構造及び複数の開口部によって排泄物の拡散を的確に阻止できる。
【００３０】
請求項８に記載の発明によれば、表面シートがトップシートと吸収コアとの間に配置されているため、表面シートの剥離又は脱落が生じるのを防止できる。
【００３１】
請求項９に記載の発明によれば、表面シートがトップシートを兼ねているため、吸収性物品を構成する部材の増加を抑制でき、製造工程の簡略化及び製造コストの低減が図れる。
【００３２】
請求項１０に記載の発明によれば、補助シートによって、表面シートの複数の切り込み部が形成された部分を引き延ばされた状態（複数の開口部及び３次元的な凹凸構造が形成された状態）に保持できるとともに、表面シートの切り込み部が形成された部分を補強することができる。
【００３３】
また、補助シートによって、表面シートに形成される複数の開口部を介して吸収コアが肌面側に露出するのを防止でき、吸収コアを保護できる。
【００３４】
請求項１１に記載の発明によれば、本発明に係る表面ライナーを吸収性物品に付与することにより、請求項１に記載の発明とほぼ同様な効果が得られる。
【００３５】
請求項１２に記載の発明によれば、本発明に係る表面ライナーを前後方向（縦方向）に引き延ばした状態で吸収性物品に確実に装着することができる。
【発明を実施するための最良の形態】
【００３６】
図１は本発明の第１実施形態に係る吸収性物品の肌面側から見た図であり、図２は図１のＡ１−Ａ１線に沿った断面図であり、図３は図１の吸収性物品に備えられる補助シートが接合された表面シート（トップシート）の図であり、図４は図２の一部を拡大して示す図であり、図５は図３のＡ２−Ａ２線に沿った断面図である。なお、以下では、着用者の股部を覆うように吸収性物品１が装着されたときに、着用者の股部の前後方向に対応する吸収性物品１の方向（図１の縦方向）を「前後方向Ｙ」（縦方向）といい、着用者によって左右方向に対応する吸収性物品１の方向（図１の横方向）を「左右方向Ｘ」（横方向）という。また、着用者の股部の前方側（腹側）に対応する吸収性物品１の側を「前方側」といい、着用者の股部の後方側（後側）に対応する吸収性物品１の側を「後方側」という。図１においては、図中の上側が吸収性物品１の前方側となる。
【００３７】
図１及び図２に示す吸収性物品１は、使い捨ておむつとして用いられるものであり、トップシートを構成する表面シート１１に、複数の開口部１２及び３次元的な凹凸構造１３が形成されている。この開口部１２及び凹凸構造１３の構成については後に詳述する。
【００３８】
吸収性物品１は、大略的に、前後方向（縦方向）Ｙに延びた吸収体１４を、トップシートである表面シート１１とバックシート１５とで挟んだ構造を有している。但し、表面シート１１の外面側には、補助シート１６が接合される。これにより、肌面側から表面シート１１、補助シート１６、吸収体１４、バックシート１５の順で、これらは積層して配置される（図２参照）。このような積層構造により、排泄物の液体成分は、表面シート１１を透過又はその開口部１２を通過し、さらに補助シート１６を透過して吸収体１４に吸収され、かつ、バックシート１５によって外部への染み出しが防止される。なお、本発明に係る内装材には表面シート１１、補助シート１６及び後述するサイドシート１７が相当し、外装材にはバックシート１５が相当している。
【００３９】
表面シート１１は、吸収性物品１の肌面側における左右方向Ｘの中央部に、前後方向Ｙに沿って配置される。この表面シート１１及び補助シート１６の構成については後述する。
【００４０】
吸収体１４としては、例えば、粉砕したパルプ繊維やセルロース繊維等の親水性繊維集合層に粒状の高分子吸収体を混合してなる吸収コアを、ティッシュペーパー等の紙シートあるいは透液性不織布シート等の被覆シートで包み、所定の形状（長方形、砂時計型、ひょうたん型等）に成形したものが挙げられる。
【００４１】
バックシート１５は、吸収体１４で吸収された尿等が外側にしみ出すのを防ぐため、撥水性のシート材料又は液不透過性のシート材料を用いて形成される。例えば、通常使い捨ておむつに使用される撥水性不織布材料（スパンボンド不織布、メルトブロー不織布、ＳＭＳ不織布等）、あるいはプラスチックフィルム（通気性のものでも、非通気性のものでもよいが、より快適な態様としては通気性プラスチックフィルムが望ましい）、あるいはそれらを貼り合わせたものが用いられる。本実施形態では、バックシート１５は、通気性プラスチックフィルムと、その通気性プラスチックフィルムの外面側に貼り合わされた不織布（例えば撥水性不織布）によって構成されている。
【００４２】
また、吸収性物品１の肌面側における左右方向Ｘの両側には、前後方向Ｙに沿って表面シート１１に重ねて左右のサイドシート１７が設けられている。このサイドシート１７の中央側の端部には糸ゴム１８が配されており、この糸ゴム１８の収縮によってサイドシート１７の一部が肌面側に向かって立ち上がり、サイド立体ギャザーとして機能する。このサイド立体ギャザーにより排泄物の横漏れが防止される。サイドシート１７の素材としては、撥水性の不織布、又は撥水性の不織布と不透液性のプラスチックフィルムとを貼り合わせたものなどが挙げられる。
【００４３】
次に、表面シート１１の構成について説明する。表面シート１１は、図３ないし図５に示すように、前後方向Ｙに長い長方形の外形形状を有するシート状の部材であり、３次元展開可能な複数の切り込み列セット２１が設けられている。各切り込み列セット２１は、対を成す第１及び第２の切り込み列２２，２３をそれぞれ有している。また、切り込み列セット２１は、表面シート１１における後方側に片寄った区間２４（着用者の臀部にあてがわれる領域）に形成されている。以後、この区間２４を切り込み形成区間という。これによって、表面シート１１の複数の開口部１２及び凹凸構造１３が着用者の腹部に接触し、着用者が違和感を感じるのが防止される。
【００４４】
そして、表面シート１１の切り込み形成区間２４が前後方向Ｙに引き延ばされ、各切り込み列セット２１の第１及び第２の切り込み列２１，２２が前後方向Ｙに開かれることにより、複数の開口部１２及び凹凸構造１３が形成される。なお、本発明に係る複数の切り込み部は、複数の第１及び第２の切り込み列２１，２２によって構成されている。
【００４５】
図６は表面シートの引き延ばされる前の状態を示す図であり、図７は図６の一部を拡大して示す図である。まず、この図６及び図７に基づいて第１及び第２の切り込み列２１，２２が展開される前の構成について説明する。
【００４６】
各切り込み列セット２１の第１及び第２の切り込み列２２，２３は、図６及び図７に示すように、前後方向Ｙに対して対向するように設けられている。このため、切り込み形成区間２４では、第１の切り込み列２２と第２の切り込み列２３とが前後方向Ｙに対して交互に配置されている。第１及び第２の切り込み列２２，２３には、左右方向Ｘに沿って間隔をあけて設けられ、略山形の形状を有する複数の第１及び第２の単位切り込み部２６，２７が設けられている。
【００４７】
図６及び図７に示す例では、単位切り込み部２６，２７は頂点部分２６ａ，２７ａが円弧状の丸みを有する略Ｕ字形の形状を有しているが、単位切り込み部２６，２７の具体的な形状については種々の形状が採用できる。この点については、図１５（ａ）及び図１５（ｂ）に基づいて後述する。
【００４８】
各切り込み列セット２１において、第１の単位切り込み部２６と第２の単位切り込み部２７とが、それらの頂点部分２６ａ，２７ａが前後方向Ｙの反対側を向くように設けられている。例えば、第１の単位切り込み部２６の頂点部分２６ａが着用者の前方側を向き、第２の単位切り込み部２７の頂点部分２７ａが着用者の後方側を向いている。
【００４９】
そしてさらに、各切り込み列セット２１において、第１の単位切り込み部２６と第２の単位切り込み部２７とが、それらの裾部分２６ｂ又は２７ｂが、対をなす相手側の切り込み列２２，２３の隣接する２つの単位切り込み部２７，２７又は２６，２６と左右方向Ｘに対して互いに重なり合うようにして配置されている。さらに具体的には、第１の単位切り込み部２６ａの裾部分２６ｂと、第２の単位切り込み部２７の裾部分２７ｂとが前後方向Ｙに対して重複するように配置されている。
【００５０】
このような切り込み列セット２１の構成により、表面シート１１の切り込み形成区間２４は、各単位切り込み部２６，２７が開閉されるのに伴って伸縮するようになっている。そして、表面シート１１の切り込み形成区間２４が前後方向Ｙに引き延ばされ、各単位切り込み部２６，２７が前後方向Ｙに開かれ、略山形の単位切り込み部２６，２７の頂点部分２６ａ，２７ａの内側部分（起立部２８，２９）が上下に立ち上がることによって、図８に示すように、切り込み形成区間２４内に複数の開口部１２及び３次元的な凹凸構造１３が形成される。凹凸構造１３の凹部は表面シート１１の平坦な部分によって構成され、凸部は、表面シート１１のその平坦な部分から上下に立ち上がった起立部２８，２９によって構成される。起立部２８，２９は、前後方向Ｙの前側又は後側を向くようにして立ち上がるため、軟便に含まれる流動性の高い液体成分の前後方向Ｙへの流れを効果的に阻止することができる。
【００５１】
なお、この開口部１２及び凹凸構造１３は、切り込み形成区間２４が元の状態に縮められ、各単位切り込み部２６，２７が閉じられることによって解消される。
【００５２】
このような表面シート１１は、例えば透液性の不織布を用いて形成される。その不織布材料としては、親水性繊維（セルロース、レーヨン、コットン等）を用いて形成されたポイントボンド不織布、エアースルー不織布、又はスパンレース不織布等が用いられる。あるいは、疎水性繊維（ポリプロピレン、ポリエチレン、ポリエステル、ポリアミド、ナイロン（商標）等）の表面を界面活性剤により処理して透水性とした不織布材料などを用いてもよい。
【００５３】
補助シート１６は、表面シート１１の外面側における切り込み形成区間２４を覆うように表面シート１１に、ホットメルト接着剤等の接合手段を用いて接合されている。より詳細には、補助シート１６は、切り込み形成区間２４が前後方向Ｙに引き延ばされ、区間２４内の単位切り込み部２６，２７が開かれた状態で表面シート１１に接合される。
【００５４】
このため、補助シート１６によって、表面シート１１の切り込み形成区間２４が、引き延ばされて複数の開口部１２及び３次元的な凹凸構造１３が形成された状態に保持される。また、補助シート１６によって、表面シート１１に形成される複数の開口部１２を介して吸収体１４が肌面側に露出するのを防止でき、吸収体１４を保護できる。補助シート１６の材料としては、表面シート１１とほぼ同様なシート材料（例えば、透液性のシート材料）を用いて構成される。なお、補助シート１６の接合により、表面シート１１の単位切り込み部２６，２７から上下に立ち上がった起立部２８，２９のうち、外面側の起立部２９が補助シート１６に抑えられてやや折り曲げられた状態になる場合がある。
【００５５】
次に、表面シート１１の製造工程について簡単に説明する。まず、表面シート１１が前後方向Ｙに連続してなる連続体の切り込み形成区間２４に対応する各部分に、カッターにより複数の切り込み列セット２１を間欠的に形成する。続いて、連続体の切り込み形成区間２４に対応する各部分を連続体の連続方向（前後方向Ｙ）に引き延ばし、その各部分内に複数の開口部１２及び３次元的な凹凸構造１３を形成する。続いて、その各部分を外面側から覆うように連続体に補助シート１６を間欠的に接合する。続いて、その連続体を表面シート１１に対応する長さごとに切断する。このように形成された補助シート１６付きの表面シート１１は、おむつ本体の製造ラインに導入され、おむつ本体の肌面側にサイドシート１７と共に付与される。このとき、表面シート１１は、切り込み形成区間２４が引き延ばされた状態のまま、おむつの他の構成部材（例えば、吸収体１４及びバックシート１５）に接合される。
【００５６】
このように複数の開口部１２及び３次元的な凹凸構造１３が構成された表面シート１１は、吸収体１４及びバックシート１５の積層構造よりも肌面側に位置して、表面に露出することになる。また、切り込み形成区間２４は、着用者を基準として表面シート１１のやや後側に片寄った位置に設けられている。このため、表面シート１１に形成される複数の開口部１２及び３次元的な凹凸構造１３によって、着用者の腹部に不快感を与えることなく、着用者の軟便等の排泄物を確実に受け止めることができる。
【００５７】
この吸収性物品１の機能等について、この吸収性物品１の使用時に軟便等の液体成分と固定成分とを含む緩い排泄物が排泄された場合を例に説明する。このような緩い排泄物は、液体成分と固形成分とが混在した状態で流動しやすいため、吸収性物品１の前後方向Ｙへの拡散が特に問題となりやすい。
【００５８】
そこで、この吸収性物品１では、トップシートを構成する表面シート１１に複数の開口部１２及び３次元的な凹凸構造１３を設けることにより、緩い排泄物の拡散を抑制できるようになっている。すなわち、排泄物は、表面シート１１の複数の開口部１２及び３次元的な凹凸構造１３が付与された切り込み形成区間２４により受け止められる。このとき、排泄物の流動成分は、凹凸構造１３を形成する起立部２８，２９（特に、肌面側の起立部２８）により、前後左右への広がりが効果的に堰き止められつつ、凹凸構造１３の凹部及び開口部１２により保持される。
【００５９】
また、表面シート１１の開口部１２を介して、あるいは表面シート１１を透過して表面シート１１の外面側に誘導された排泄物は、その液体成分が吸収体１４によって吸収されるとともに、その固形成分が表面シート１１と補助シート１６との間に確実に保持される。このとき、表面シート１１の外面側においても、起立部２９によって排泄物の流動成分の拡散が効果的に抑制される。
【００６０】
特に、本実施形態に係る構成では、起立部２８，２９が前後方向Ｙの前側又は後側を向くようにして立ち上がるため、軟便に含まれる流動性の高い液体成分の前後方向Ｙへの流れを効果的に阻止できるようになっている。
【００６１】
以上のように、本実施形態によれば、吸収性物品１の肌面側に設けられた表面シート１１に形成された３次元的な凹凸構造１３によって、排泄物が着用者の肌面と吸収性物品との間で拡散するのを効果的に抑制できる。その結果、軟便等の排泄物が着用者の肌面の広範囲に付着するのを防止でき、排泄物の拭き取り作業の負担を軽減できる。
【００６２】
また、吸収性物品１の肌面側の表面に沿って移動する排泄物を３次元的な凹凸構造１３によって堰き止めることにより、排泄物を表面シート１１に設けた複数の開口部１２に素早く導入して確実に捕捉できる。これによって、排泄物の漏れについてもより確実に防止できる。
【００６３】
また、複数の切り込み列セット２１が形成された表面シート１１を前後方向Ｙに引き延ばすだけで、表面シート１１に複数の開口部１２及び３次元的な凹凸構造１３が形成されるため、３次元的な凹凸構造１３を形成するために表面シート１１に複雑な加工を施す必要がない。
【００６４】
また、切り込み列セット２１の単位切り込み部２６，２７の形状及び配置等を変更することにより、開口部１２及び３次元的な凹凸構造１３の形態を容易に変更できる。
【００６５】
また、表面シート１１に形成された各切り込み列セット２１によって、前後方向Ｙの前側又は後側を向くようにして立ち上がる起立部２８，２９が形成されるため、この起立部２８，２９によって、軟便に含まれる流動性の高い液体成分の前後方向Ｙへの流れを効果的に阻止できる。
【００６６】
また、表面シート１１が透液性の不織布で構成されているため、排泄物中の液体成分を素早く表面シート１１の外面側に透過させることができる。これによって、排泄物の拡散を抑制し、排泄物が着用者の肌面に付着する面積を抑制できる。
【００６７】
また、３次元的な凹凸構造１３等が設けられた表面シート１１がトップシートを兼ねているため、吸収性物品１を構成する部材の増加を抑制でき、製造工程の簡略化及び製造コストの低減が図れる。
【００６８】
また、表面シート１１の切り込み形成区間２４には外面側から補助シート１６が接合されている。このため、補助シート１６によって、表面シート１１の切り込み形成区間２４を前後方向Ｙに引き延ばされた状態（複数の開口部１２及び３次元的な凹凸構造１３が形成された状態）に保持できるとともに、表面シート１１の切り込み形成区間２４を補強することができる。
【００６９】
また、補助シート１６によって、表面シート１１に形成される複数の開口部１２を介して吸収体１４が肌面側に露出するのを防止でき、吸収体１４を保護できる。
【００７０】
なお、本実施形態に係る吸収性物品１では、３次元的な凹凸構造１３等を有する表面シート１１がトップシートを兼ねた構成としたが、表面シート１１をトップシートと別部材の構成としてもよい。この場合、補助シート１６は省略してもよい。
【００７１】
例えば、図９に示すように、表面シート１１をトップシート１９の肌面側に接合する構成が挙げられる。あるいは、図１０に示すように、トップシート１９の前後方向Ｙの後よりの領域に穴あき部１９ａを設けるとともに、表面シート１１をトップシート１９の外面側に接合する構成が挙げられる。この図１０の構成では、表面シート１１はトップシート１９と吸収体１４との間に配置され、表面シート１１に形成された複数の開口部１２及び３次元的な凹凸構造１３がトップシートの穴あき部１９ａを介して吸収性物品１の肌面側に露出する。この構成では、表面シート１１がトップシート１９と吸収体１４との間に配置されているため、表面シート１１の剥離又は脱落が生じるのを防止できる。なお、図９及び図１０の構成では、補助シート１６は省略されている。
【００７２】
また、表面シート１１に関する他の変形例として、図１１及び図１２に示す構成が採用できる。この図１１及び図１２に示す構成では、補助シート１６が省略されるとともに、表面シート１１に形成された各切り込み列セット２１の第１及び第２の切り込み列２２，２３のいずれか一方（ここでは、第１の切り込み列２２）の単位切り込み部２６，２７の頂点部分２６ａ，２７ａの内側部分（起立部２８，２９））が、吸収性物品１における表面シート１１の外面側に位置する部材（例えば、吸収体１４）にホットメルト接着剤等の接合手段により接合される。図１１及び図１２では、各切り込み列セット２１の第１の切り込み列２２の単位切り込み部２６，２７の頂点部分２６ａ，２７ａの内側部分（起立部２９）が、吸収体１４の肌面側表面に接合される。
【００７３】
図１１は、表面シート１１が複数の切り込み列セット２１が前後方向Ｙに引き延ばされる前の状態を示しており、図１１の破線によるハッチングを施した部分に、起立部２９の接合用の接着剤が塗布される。そして、切り込み形成区間２４が前後方向Ｙに引き延ばされて表面シート１１が吸収体１４と接合されるのに伴って、各起立部２９が吸収体１４に接合される。
【００７４】
このため、表面シート１１の吸収体１４と接合された各起立部２９を起立姿勢に確実に保持でき、これによって、表面シート１１の外面側に誘導された軟便等の排泄物をより確実に堰き止めることができる。
【００７５】
また、表面シート１１の起立部２９を支点として、表面シート１１の切り込み形成区間２４を肌面側に浮き上がらせ、適度な隙間空間を形成することができる。これによって、開口部１２を介して表面シート１１の外面側に誘導された軟便等の排泄物の固形成分を表面シート１１と吸収体１４との間に収容する収容能力を向上が図れる。
【００７６】
また、図１１及び図１２に示す構成では、表面シート１１における各切り込み列セット２１の第１及び第２の切り込み列２２，２３のいずれか他方（ここでは、第２の切り込み列２３）の各単位切り込み部２６，２７の頂点部分２６ａ，２７ａの内側部分（起立部２８，２９）を前後方向Ｙに縦断するように、糸状又は帯状の弾性部材３１が伸張状態で付与されている。この場合、表面シート１１は、２枚のシート材料を、それらの間に弾性部材３１を挟み込んだ状態で貼り合わせることにより構成される。弾性部材３１の材料としては、通常の使い捨ておむつに使用される弾性伸縮材料（例えば、ポリウレタン糸、ポリウレタンフィルム、天然ゴム等）が用いられる。弾性部材３１の表面シート１１との接着は、伸張状態にあるときにホットメルト接着剤、熱溶着、超音波溶着等の貼着手段を用いて行われる。
【００７７】
このように弾性部材３１を付与した構成では、図１３に示すように、各切り込み列セット２１が前後方向Ｙに引き延ばされた際に、起立部２８を弾性部材３１の収縮力により確実に起立させることができる。これによって、軟便等の排泄物の堰き止め効果がさらに高められる。なお、この弾性部材３１については必須のものでなく、省略してもよい。
【００７８】
また、上述の実施形態では表面シート１１を透液性の不織布で構成したが、表面シート１１を撥水性の不織布、あるいは透孔を有するプラスチックフィルムなどを用いて構成してもよい。この場合、一旦表面シート１１の外面側に誘導された排泄物の液体成分が表面シート１１を透過して肌面側に逆戻りするのを抑制できる。これによって、逆戻りした排泄物の液体成分が着用者の肌に付着して不快感を与えるのを防止できる。
【００７９】
図１４は、本発明の第２実施形態に係る表面ライナーの肌面側から見た図である。本実施形態に係る表面ライナー４１は、切り込み列セット２１の構成等については上述の実施形態に係る表面シート１１と構成が共通している。よって、表面ライナー４１の表面シート１１と構成が共通する部分には同一の参照符号を付して説明を省略する。
【００８０】
この表面ライナー４１は、使い捨ておむつ等の吸収性物品の軟便等の流動性の高い排泄物の捕集機能等を高めるために、吸収性物品の肌面側表面に装着されるものである。そのため、図１４に示すように、表面ライナー４１を構成する基材シート４２には、上述の表面シート１１の切り込み形成区間２４と同様な構成を有する切り込み形成区間２４が設けられている。これによって、その切り込み形成区間２４を前後方向Ｙに引き延ばすことにより、表面ライナー４１に複数の開口部１２及び３次元的な凹凸構造１３が形成される。
【００８１】
また、基材シート４２の外面側表面における前後方向Ｙの両端部等には、表面ライナー４１を吸収性物品の肌面側表面に付着させるための付着部４３，４４が付与されている。この付着部４３，４４は、面ファスナーに用いられる複数のフックが設けられたシート状のフック材、又は、粘着シート等が用いられる。なお、付着部４３，４４を基材シート４２の前後方向Ｙにおける中間部の左右両側等にも設けてもよい。
【００８２】
そして、この表面ライナー４１を使用する際には、表面ライナー４１を前後方向Ｙに引き延ばし、複数の切り込み列セット２１を展開させ、複数の開口部１２及び３次元的な凹凸構造１３を形成させ、その状態で、付着部４３，４４を吸収性物品１の肌面側表面（例えば、トップシートの表面）に付着させる。これによって、軟便等の流動性の高い排泄物の広がりが表面ライナー４１によって効果的に堰き止められ、捕集される。
【００８３】
なお、上述の表面シート１１又は表面ライナー４１の切り込み形成区間２４に設ける切り込み部の構成については、上述の構成に限らず、前後方向Ｙに引き延ばされたときに３次元的に展開して、複数の開口部及び３次元的な凹凸構造を生成するものであればよく、任意の切り込み部が採用できる。例えば、第１及び第２の切り込み列２２，２３の単位切り込み部２６，２７の形状を、図１５（ａ）に示すように略矩形状にしてもよいし、図１５（ｂ）に示すように略三角状にしてもよく、あるいは、略半円状（略半楕円状を含む）にしてもよい。
【図面の簡単な説明】
【００８４】
【図１】本発明の第１実施形態に係る吸収性物品の肌面側から見た図である。
【図２】図１のＡ１−Ａ１線に沿った断面図である。
【図３】図１の吸収性物品に備えられる補助シートが接合された表面シート（トップシート）の図である。
【図４】図２の一部を拡大して示す図である。
【図５】図３のＡ２−Ａ２線に沿った断面図である。
【図６】表面シートの引き延ばされる前の状態を示す図である。
【図７】図６の一部を拡大して示す図である。
【図８】図６のトップシートの切り込み形成区間が引き延ばされた状態を示す斜視図である。
【図９】図３に示す表面シート等の構成の第１の変形例を示す図である。
【図１０】図３に示す表面シート等の構成の第２の変形例を示す図である。
【図１１】図３に示す表面シート等の構成の第３の変形例を示す図である。
【図１２】図１１の表面シートの切り込み形成区間が引き延ばされ、単位切り込み部の頂点部分が所定の接合対象に接合された状態を示す断面図である。
【図１３】図１２の状態における表面シートの肌面側に立ち上がった起立部の周辺の構成を示す斜視図である。
【図１４】本発明の第２実施形態に係る表面ライナーの肌面側から見た図である。
【図１５】（ａ），（ｂ）は表面シート又は表面ライナーに設けられる第１及び第２の切り込み列の変形例を示す図である。
【符号の説明】
【００８５】
１  吸収性物品、１１  表面シート、１２  開口部、１３  凹凸構造、１４  吸収体、１５  バックシート、１６  補助シート、１７  サイドシート、１８  糸ゴム、１９  トップシート、１９ａ  穴あき部、２１  切り込み列セット、２２  第１の切り込み列、２３  第２の切り込み列、２４  切り込み形成区間、２６  第１の単位切り込み部、２７  第２の単位切り込み部、２６ａ，２７ａ  頂点部分、２６ｂ，２７ｂ  裾部分、２８，２９  起立部、３１  弾性部材、４１  表面ライナー、４２  基材シート、４３，４４  付着部、Ｘ  左右方向、Ｙ  前後方向。
【図１】
0004950807.tif 000002
【図２】
0004950807.tif 000003
【図３】
0004950807.tif 000004
【図４】
0004950807.tif 000005
【図５】
0004950807.tif 000006
【図６】
0004950807.tif 000007
【図７】
0004950807.tif 000008
【図８】
0004950807.tif 000009
【図９】
0004950807.tif 000010
【図１０】
0004950807.tif 000011
【図１１】
0004950807.tif 000012
【図１２】
0004950807.tif 000013
【図１３】
0004950807.tif 000014
【図１４】
0004950807.tif 000015
【図１５】
0004950807.tif 000016